(57)【要約】【課題】空調機能と換気機能を兼備し、施工が容易で、ダクトのメンテナンスが不要な全館空調システムを提供する。【解決手段】全館空調システム１０１は、空調機１ａ，１ｂと、換気装置２と、空調機１ａ，１ｂから供給される調和空気を建物１１内の空調対象領域である一階並びに二階の居室３，４内に向かって吹き出す複数の吹出口５，６と、を備えている。空調機１ａ，１ｂはそれぞれ建物１１の内部の天井裏空間７，８に配置され、天井裏空間７を、空調機１ａから供給される調和空気を吹出口５に導く給気経路とし、天井裏空間８を、空調機１ｂから供給される調和空気を吹出口６に導く給気経路としている。また、換気装置２で吸い込んだ外気を空調機１ａ，１ｂに供給する通気経路９と、居室３，４内の空気を吸い込む還気用の吸込口１０ａ，１０ｂ及び還気経路２０ａ，２０ｂが設けられている。【選択図】図１
2020094724.tif 000002
【特許請求の範囲】
【請求項１】
空調機と、換気装置と、前記空調機から供給される調和空気を建物内の空調対象領域に吹き出す吹出口と、を備え、
前記建物内の天井裏空間若しくは小屋裏空間に前記空調機を配置し、
前記天井裏空間若しくは前記小屋裏空間の少なくとも一方を、前記空調機から供給される調和空気を前記吹出口に導く給気経路とし、
前記換気装置により吸い込んだ外気を前記空調機に供給する全館空調システム。
【請求項２】
空調機と、換気装置と、前記空調機から供給される調和空気を建物内の空調対象領域に吹き出す吹出口と、を備え、
前記建物内の天井裏空間若しくは小屋裏空間に前記空調機を配置し、
前記天井裏空間若しくは前記小屋裏空間の少なくとも一方を、前記建物内に設けた還気用の吸込口から空気を吸い込んで前記空調機に導く還気経路とした全館空調システム。
【請求項３】
前記建物が二階建てであり、前記建物内の一階と二階との階間にある前記天井裏空間を前記給気経路若しくは前記還気経路とし、前記給気経路内若しくは前記還気経路内に前記空調機を配置した請求項１または２記載の全館空調システム。
【請求項４】
前記空調機が壁掛け型空調機である請求項１〜３の何れかの項に記載の全館空調システム。
【請求項５】
前記建物内の空気を前記空調機へ導入する還気用の前記吸込口を、前記空調機の真下の天井部若しくは前記建物内の壁部に設けた請求項２〜４の何れかの項に記載の全館空調システム。
【請求項６】
前記吹出口に、前記吹出口の通気流量を増減可能な開度調整機構を設けた請求項１〜５の何れかの項に記載の全館空調システム。
【請求項７】
前記給気経路と連通する副給気経路、若しくは、前記還気経路と連通する副還気経路を前記建物の壁部内に設けた請求項１〜６の何れかの項に記載の全館空調システム。
【請求項８】
前記吹出口にブースターファンを設けた請求項１〜７の何れかの項に記載の全館空調システム。
【請求項９】
前記建物内の壁部の床面寄りの領域に前記換気装置を配置した請求項１〜８の何れかの項に記載の全館空調システム。
【請求項１０】
前記建物内に設けられた収納室内に前記換気装置を配置した請求項１〜９の何れかの項に記載の全館空調システム。
【発明の詳細な説明】
【技術分野】
【０００１】
本発明は、一般住宅などの建物内全体の空調並びに換気を行うことができる全館空調システムに関する。
【背景技術】
【０００２】
一般住宅などの建物内全体の空調を行う全館空調システムについては、従来、様々な構造、機構を有するものが提案されているが、本発明に関連するものとして、例えば、特許文献１に記載された「建物の床下換気構造」並びに特許文献２に記載された「空調システム」などがある。
【０００３】
特許文献１に記載された「建物の床下換気構造」においては、建物の床下空間が密閉空間に形成され、この床下空間と室内とが空気導入口により連通され、かつ床下空間の空気を屋外に強制排出する排気系が設けられるとともに、建物の小屋裏空間に空調機が配置され、この空調機と各階居住部の天井に設けられた複数の吹出口とがそれぞれダクトで接続されている。
【０００４】
特許文献２に記載された「空調システム」においては、建物本体の複数の居室を区画または連結する廊下の天井に、建物の躯体と一体となるように形成された中空構造体の中に空調機器が内蔵され、この空調機器で空調処理された空気の吹出口が、廊下に面した壁の上部の居室側に設置されている。
【先行技術文献】
【特許文献】
【０００５】
【特許文献１】特開２００２−７０１９３号公報
【特許文献２】特開平１１−３２５５０８号公報
【発明の概要】
【発明が解決しようとする課題】
【０００６】
特許文献１に記載された「建物の床下換気構造」においては小屋裏空間に配置された空調機と、各階居住部の天井に設けられた複数の吹出口と、がダクトで接続されるので、階を跨いで配設されるダクトの設計、施工が非常に煩雑である。また、施工後、ダクトの内部を清掃することは非常に困難であるため（実質的に不可能であるため）、ダクト内部の清掃を必要とする事態が生じた場合、ダクト交換で対応しているのが実状である。このため、ダクト交換工事は大掛かりなものとなり、多大な労力と時間並びに資材を必要とし、メンテナンス性が悪いという問題がある。
【０００７】
特許文献２に記載された「空調システム」は換気機能を有していないので、２４時間換気に対応することができない。
【０００８】
そこで、本発明が解決しようとする課題は、空調機能と換気機能を兼備し、施工が容易で、ダクトのメンテナンスが不要な全館空調システムを提供することにある。
【課題を解決するための手段】
【０００９】
本発明に係る第１の全館空調システムは、空調機と、換気装置と、前記空調機から供給される調和空気を建物内の空調対象領域に吹き出す吹出口と、を備え、
前記建物内の天井裏空間若しくは小屋裏空間に前記空調機を配置し、
前記天井裏空間若しくは前記小屋裏空間の少なくとも一方を、前記空調機から供給される調和空気を前記吹出口に導く給気経路とし、
前記換気装置により吸い込んだ外気を前記空調機に供給することを特徴とする。
【００１０】
このような構成とすれば、空調機と換気装置とを備えたことにより、空調機能と換気機能を発揮することができる。また、空調機と吹出口との間のダクト施工が不要となるので、工数が簡略化され、施工が容易であり、給気用のダクト自体を無くすことができるので、ダクトのメンテナンスも不要である。
【００１１】
さらに、換気装置により吸い込んだ外気を空調機に供給することにより、空調系統と還気系統の経路を兼用することが可能となり、必要とする換気作用を確実に得ることができ、換気効率も向上する。小屋裏空間を給気経路（ダクトレス空間）とした場合、空調された空気が小屋裏に流入するため、小屋裏環境が向上し、空調機、換気装置に対する負荷も軽減する。
【００１２】
本発明に係る第２の全館空調システムは、空調機と、換気装置と、前記空調機から供給される調和空気を建物内の空調対象領域に吹き出す吹出口と、を備え、
前記建物内の天井裏空間若しくは小屋裏空間に前記空調機を配置し、
前記天井裏空間若しくは前記小屋裏空間の少なくとも一方を、前記建物内に設けた還気用の吸込口から空気を吸い込んで前記空調機に導く還気経路としたことを特徴とする。
【００１３】
このような構成とすれば、空調機と換気装置とを備えたことにより、空調機能と換気機能を発揮することができる。また、空調機と吸込口との間のダクト施工が不要となるので、工数が簡略化され、施工が容易であり、還気用のダクト自体を無くすことができるので、ダクトのメンテナンスも不要である。
【００１４】
さらに、換気装置により吸い込んだ外気を空調機に供給することにより、空調系統と還気系統の経路を兼用することが可能となり、必要とする換気作用を確実に得ることができ、換気効率も向上する。小屋裏空間を還気経路（ダクトレス空間）とした場合、室内環境の空気が小屋裏に流入するため、小屋裏環境が向上し、空調機、換気装置に対する負荷も軽減する。また、空調機からダクト経由で調和空気を室内へ供給すれば、熱ロスを低減できる。
【００１５】
前記全館空調システムにおいては、前記建物を二階建てとし、前記建物内の一階と二階との階間にある前記天井裏空間を前記給気経路若しくは前記還気経路とし、前記給気経路内若しくは前記還気経路内に前記空調機を配置することができる。
【００１６】
このような構成とすれば、給気経路若しくは還気経路と、空調機とが同一空間（天井裏空間）に存在する状態となるので、各階ごとに施工する必要がなく、メンテナンス場所も集約することができる。
【００１７】
前記全館空調システムにおいては、前記空調機を壁掛け型空調機とすることができる。
【００１８】
このような構成とすれば、壁掛け型空調機は比較的小型であるため、設置作業が容易となる。また、壁掛け型空調機として、汎用品であるルームエアコンを使用すれば、更新時の入れ替え作業も容易であり、その都度、最新モデルで高性能のルームエアコンを選定することができる。
【００１９】
前記全館空調システムにおいては、前記建物内の空気を前記空調機へ導入する還気用の前記吸込口を、前記空調機の真下の天井部若しくは前記建物内の壁部に設けることができる。
【００２０】
このような構成において、還気用の吸込口が付属した空調機、例えば、ビルトイン型を採用すれば、別途、還気用の吸込口を施工する必要がなくなる。また、還気用の吸込口を壁部に設置する場合、壁部内をダクトレス空間として、空調機と吸込口とを連通させれば、壁部の任意の位置に吸込口を設置することが可能となり、設計の自由度が向上する。
【００２１】
また、壁部内をダクトレス空間とした場合、建物の外壁側にダクトレス空間を突出させれば、建物内の居室空間への圧迫を回避することができる。
【００２２】
前記空調システムにおいては、前記吹出口に、前記吹出口の通気流量を増減可能な開度調整機構を設けることができる。
【００２３】
このような構成とすれば、建物内の空調対象領域の要求に応じて開度調整機構を作動させ、吹出口の通気流量を増減させることにより、調和空気の風量を適切に調整（設定）することができる。また、前記開度調整機構が全閉しないように最小開度を確保すれば、必要換気量の外気を供給し続けることができる。
【００２４】
さらに、前記開度調整機構の開度を絞ることにより、前記通気経路内に調和空気を充満させれば、前記通気経路に面する天井面や床面からの熱放射が生じるので、空気式の放射空調が可能となる。なお、前記開度調整機構は手動式でもよいが、コスト面で有利な赤外線通信、有線リモコンあるいはその他の操作手段を採用することができる。
【００２５】
前記全館空調システムにおいては、前記給気経路と連通する副給気経路、若しくは、前記還気経路と連通する副還気経路を前記建物の壁部内に設けることができる。
【００２６】
このような構成とすれば、調和空気の吹出口、建物内の空気を吸い込む吸込口を設置する位置の自由度が高まる。また、前記吹出口、前記吸込口に開度調整機構を設ければ、冷房時は空調対象領域の上部から調和空気を供給し、暖房時は空調対象領域の下部から調和空気を供給することが可能となり、頭寒足熱の空調環境を実現することができるので、快適性が向上する。
【００２７】
前記全館空調システムにおいては、前記吹出口にブースターファンを設けることができる。
【００２８】
このような構成とすれば、必要に応じてブースターファンを作動させることにより、空調対象領域の居住者の好みに応じた風量調整を行うことが可能となる。
【００２９】
前記全館空調システムにおいては、前記建物内の壁部の床面寄りの領域に前記換気装置を配置することができる。
【００３０】
このような構成とすれば、換気装置のメンテナンスを行う場合に脚立などを使用する必要がなくなるので作業者が安全に作業を行うことができる。
【００３１】
前記全館空調システムにおいては、前記建物内に設けられた収納室内に前記換気装置を配置することができる。
【００３２】
このような構成とすれば、換気装置を収納室内に隠蔽することができるので、建物内をスッキリとした美観を呈するように仕上げることができる。また、収納室内をダクトルートなどに利用することができるので、施工が容易になる。なお、還気口を収納室の正面ドア（例えば、クローゼットの開閉扉面）に設け、収納室内をダクトレス還気経路とすれば、施工の簡素化を図ることができる。
【発明の効果】
【００３３】
本発明により、空調機能と換気機能を兼備し、施工が容易で、ダクトのメンテナンスが不要な全館空調システムを提供することができる。
【図面の簡単な説明】
【００３４】
【図１】本発明の第１実施形態である全館空調システムを示す図である。
【図２】本発明の第２実施形態である全館空調システムを示す図である。
【図３】本発明の第３実施形態である全館空調システムを示す図である。
【図４】本発明の第４実施形態である全館空調システムを示す図である。
【図５】本発明の第５実施形態である全館空調システムを示す図である。
【図６】本発明の第６実施形態である全館空調システムを示す図である。
【図７】本発明の第７実施形態である全館空調システムを示す図である。
【図８】本発明の第８実施形態である全館空調システムを示す図である。
【発明を実施するための形態】
【００３５】
以下、図１〜図８に基づいて、本発明の実施の形態である全館空調システム１０１，１０２，１０３，１０４，１０５，１０６，１０７，１０８について説明する。
【００３６】
初めに、図１に基づいて、全館空調システム１０１について説明する。全館空調システム１０１は、空調機１ａ，１ｂと、全熱交換タイプの換気装置２と、空調機１ａ，１ｂから供給される調和空気を建物１１内の空調対象領域である一階並びに二階の居室３，４内に向かって吹き出す複数の吹出口５，６と、を備えている。空調機１ａ，１ｂはそれぞれ建物１１の内部の天井裏空間７，８に配置され、天井裏空間７を、空調機１ａから供給される調和空気を吹出口５に導く給気経路とし、天井裏空間８を、空調機１ｂから供給される調和空気を吹出口６に導く給気経路としている。
【００３７】
また、換気装置２によって吸い込んだ外気を空調機１ａ，１ｂに供給する通気経路９と、一階並びに二階の居室３，４内の空気を吸い込む還気用の吸込口１０ａ，１０ｂ及び還気経路２０ａ，２０ｂが設けられている。換気装置２は、一階の居室３の壁部Ｗ１の床面Ｆ１寄りの領域に配置されており、２４時間換気方式である。
【００３８】
全館空調システム１０１を使用して全館空調運転するときは、空調機１ａ，１ｂ及び換気装置２の両方が稼働する。空調機１ａ，１ｂ及び換気装置２が稼働すると、空調機１ａ，１ｂによって形成された調和空気がそれぞれ天井裏空間７，８を流動し、複数の吹出口５，６から居室３，４に向かって吹き出されるともに、換気装置２によって居室３，４内の２４時間換気が行われる。詳しくは、以下の通りである。
【００３９】
全館空調運転時、空調機１ａ，１ｂ及び換気装置２の両方が稼動すると、空調機１ａ，１ｂが居室３，４内の空気を吸い込んで空調機１ａ，１ｂ本体に取り込み、そこに換気装置２で取り込んだ外気を混合し、空調機１ａ，１ｂの熱交換器で温度調節したのち、天井裏空間７，８（ダクトレス空間）を経由して各居室３，４に供給される。
【００４０】
居室３，４の吸込口１０ａ，１０ｂから吸い込まれた空気の一部は空調機１ａ，１ｂへ戻り、一部は換気装置２に吸い込まれて外気との間で熱交換されて排出される。居室３，４内の空気との間で熱交換された外気は空調機１ａ，１ｂに吸い込まれ、前述した空調機１ａ，１ｂにおける調整後、複数の吹出口５，６から居室３，４内に供給される。
【００４１】
一方、空調停止時は換気装置２だけが稼動し、取り入れた居室３，４内の空気と外気との間で熱交換を行い、天井裏空間７，８（ダクトレス空間）７，８を介して各居室３，４に供給される。
【００４２】
なお、前述した空調機及び換気装置の機能や作用効果は、後述する全館空調システム１０２，１０３，１０４，１０５，１０６，１０７においても同様である。
【００４３】
全館空調システム１０１は、空調機１ａ，１ｂと換気装置２とを備えているため、空調機能と換気機能の両方を発揮することができる。また、空調機１ａ，１ｂと吹出口５，６との間のダクト施工が不要となるので、工数が簡略化され、施工が容易であり、給気用のダクト自体を無くすことができるので、ダクトのメンテナンスも不要である。
【００４４】
さらに、換気装置２により吸い込んだ外気を、通気経路９を経由して空調機２０ａ，２０ｂに供給することにより、居室３，４において必要とする換気作用を確実に得ることができ、換気効率も向上する。
【００４５】
全館空調システム１０１においては、給気経路である天井裏空間７，８内に空調機２０ａ，２０ｂを配置したことにより、一階においては給気経路と空調機２０ａとが同一空間（天井裏空間７）に存在し、二階においては給気経路と空調機２０ｂとが同一空間（天井裏空間８）に存在する状態となるので、一階、二階におけるメンテナンス場所を集約することができる。
【００４６】
全館空調システム１０１においては、建物１１の居室３，４内の空気を空調機２０ａ，２０ｂへ導入する還気用の吸込口１０ａ，１０ｂを、それぞれ空調機２０ａ，２０ｂの真下の天井部Ｆ１，Ｆ２に設けているため、空調機２０ａ，２０ｂと吸込口１０ａ，１０ｂとを接続するダクトを最短とすることができ、還気側の経路圧損を最小にすることができる。
【００４７】
全館空調システム１０１において、換気装置２は、一階の居室３の壁部Ｗ１の床面Ｆ１寄りの領域に配置されているため、換気装置２のメンテナンスを行う場合に脚立などを使用する必要がなく、作業者は安全にメンテナンス作業を行うことができる。
【００４８】
次に、図２〜図８に基づいて、本発明のその他の実施の形態である全館空調システム１０２，１０３，１０４，１０５，１０６，１０７，１０８について説明する。なお、後述する全館空調システム１０２，１０３，１０４，１０５，１０６，１０７，１０８において、図１に示す全館空調システム１０１の構成部分と共通する部分については、図１中に記載した符号と同一符号を付して説明を省略することがある。
【００４９】
図２に示す全館空調システム１０２においては、一階の居室３の天井部Ｃ１と二階の居室４の床面Ｆ２との階間の天井裏空間７を給気経路とし、給気経路である天井裏空間７内に複数の空調機１ａ，１ｂが配置されている。一階の居室３の天井部Ｃ１に複数の吹出口５が設けられ、二階の居室４の床面Ｆ２に複数の吹出口６が設けられている。
【００５０】
天井裏空間７内において、一方の空調機１ａは建物１２の一方（図２の左側）の壁部Ｗ１ａ，Ｗ２ａ寄り部分に配置され、他方の空調機１ｂは一方(図２の左側)の壁部Ｗ１ａ，Ｗ２ａと水平方向に離れた位置で対向する他方（図２の右側）の壁部Ｗ１ｂ，Ｗ２ｂ寄りの部分に配置されている。
【００５１】
一階の居室３内の空気を吸い込む還気用の吸込口１０ａが空調機１ａの直下の天井部Ｃ１に設けられ、二階の居室４内の空気を吸い込む還気用の吸込口１０ｂが空調機１ｂの直上の床面Ｆ２に設けられている。なお、還気用の吸込口は床面に「ほど近い」壁面に設けることもできる。
【００５２】
全館空調システム１０２においては、建物１２は二階建てであり、建物１２内の一階の居室３と二階の居室４との階間にある天井裏空間７を給気経路とし、給気経路である天井裏空間７内に空調機１ａ，１ｂを配置している。このため、給気経路と複数の空調機１ａ，１ｂとが同一空間（天井裏空間７）に存在する状態となるので、各階ごとに施工する必要がなく、メンテナンス場所も集約することができる。
【００５３】
次に、図３に基づいて、全館空調システム１０３について説明する。図３に示す全館空調システム１０３においては、建物１３内における、換気装置２、居室３，４、吹出口５，６並びに天井裏空間７，８などの構成は図１に示す全館空調システム１０１と同様であるが、空調機３１ａ，３１ｂがビルトイン型である。
【００５４】
ビルトイン型の空調機３１ａ，３１ｂは、還気用の吸込口３０ａ，３０ｂが空調機３１ａ，３１ｂに付属しているため、別途、還気用の吸込口を施工する必要がなく、施工が容易である。
【００５５】
次に、図４に基づいて全館空調システム１０４について説明する。図４に示すように、全館空調システム１０４においては、建物１４の一階の居室３と二階の居室４との階間の天井裏空間４７の内部に、複数の壁掛け型の空調機４１ａ，４１ｂ並びに換気装置４２が配置されている。空調機４１ａは天井裏空間４７内の壁部Ｗ３ａに取り付けられ、空調機４１ｂは天井裏空間４７内の壁部Ｗ３ｂに取り付けられている。換気装置４２は天井裏空間４７内において建物１４の中央寄りの部分に配置されている。
【００５６】
一階の天井部Ｃ１には、複数の吹出口５と、吸込口４０が設けられている。吸込口４０と換気装置４２との間は還気経路２０によって連通されている。二階の居室４の床面Ｆ２には複数の吹出口６が設けられ、壁部Ｗ２ａ近傍の床面Ｆ２には吸込口４０ａが設けられ、壁部Ｗ２ｂ近傍の床面Ｆ２には吸込口４０ｂが設けられている。
【００５７】
建物１４の壁部Ｗ３ａの外部には吸気口４３ａ、排気口４３ｂが並設され、吸気口４３ａと換気装置４２との間には吸気経路４９ａが設けられ、排気口４３ｂと換気装置４２との間には両者を連通する排気経路４９ｂが設けられている。なお、吸気口４３ａ、排気口４３ｂは、建物１４の壁部Ｗ３ａに水平方向に並べて配置されている。
【００５８】
全館空調システム１０４においては、空調機４１ａ，４１ｂで形成された調和空気は天井裏空間４７へ吹き出され、天井裏空間４７を流動し、複数の吹出口５，６からそれぞれ居室３，４内に向かって吹き出される。
【００５９】
居室３内の空気は吸込口４０から還気経路２０を経由して換気装置４２に吸い込まれ、居室４内の空気は吸込口４０ａ，４０ｂから天井裏空間４７内を経由して換気装置４２に吸い込まれる。換気装置４２に吸い込まれた空気は、吸気口４３ａから吸気経路４９ａを経由して吸い込まれた外気との間で熱交換された後、排気経路４９ｂ及び排気口４３ｂから外部へ排出される。
【００６０】
これと並行して、吸気口４３ａから吸気経路４９ａを経由して吸い込まれた外気は、換気装置４２に吸い込まれた居室３，４内の空気との間で熱交換された後、天井裏空間４７内へ供給される。
【００６１】
全館空調システム１０４を構成する空調機４１ａ，４１ｂは壁掛け型空調機であるため、比較的小型であり、設置作業が容易である。また、空調機４１ａ，４１ｂとして、汎用品であるルームエアコンを使用すれば、更新時の入れ替え作業も容易であり、施工時は、その都度、最新モデルで高性能のルームエアコンを選定することができる。
【００６２】
なお、全館空調システム１０４においては、空調機４１ａ，４１ｂへのＲＡ（還気）は、一階と二階の連通経路（例えば、図示しない階段など）を経由して、一階の空気を吸い込むようにしている。また、換気装置４２へのＲＡ（還気）も前述と同様にすることができる。
【００６３】
次に、図５に基づいて全館空調システム１０５について説明する。図５に示すように、全館空調システム１０５においては、建物１５の一階と二階との階間の天井裏空間７を給気経路とするとともに、給気経路である天井裏空間７内に複数の空調機１ａ，１ｂが配置されている。天井裏空間７内において、一方の空調機１ａは建物１５の一方（図５の左側）の壁部Ｗ１ａ，Ｗ２ａ寄り部分に配置され、他方の空調機１ｂは建物１５の他方（図５の右側）の壁部Ｗ１ｂ，Ｗ２ｂ寄りの部分に配置されている。
【００６４】
一階部分の空気を吸い込む還気用の吸込口１０ａが空調機１ａの直下の居室３１の天井部Ｃ１に設けられ、二階部分の空気を吸い込む還気用の吸込口１０ｂが空調機１ｂの直上の居室４３の床面Ｆ２に設けられている。
【００６５】
建物１５の一階部分は、二つの壁部Ｗ５１，Ｗ５１により三つの居室３１，３２，３３に区画され、二階部分は、二つの壁部Ｗ５２，Ｗ５２により三つの居室４１，４２，４３に区画されている。一階部分の中央に位置する居室３２の天井部Ｃ１に吹出口５７が設けられ、二階部分の中央に位置する居室４２の床面Ｆ２に吹出口５８が設けられている。
【００６６】
一階部分の壁部Ｗ５１，Ｗ５１内にはそれぞれ副給気経路５３，５３が設けられ、二階部分の壁部Ｗ５２，Ｗ５２内にはそれぞれ副給気経路５４，５４が設けられている。副給気経路５３，５３は、一階の天井部Ｃ１において、給気経路である天井裏空間５９と連通し、副給気経路５４，５４は、二階の床面Ｆ２において天井裏空間５９と連通している。
【００６７】
一階の壁部Ｗ５１，Ｗ５１の床面Ｆ１寄りの部分にはそれぞれ吹出口５５が設けられ、二階の壁部Ｗ５２，Ｗ５２の天井部Ｃ２寄りの部分にはそれぞれ吹出口５６が設けられている。吹出口５５，５６，５７，５８にはそれぞれ開度調整機構（図示せず）が設けられている。
【００６８】
全館空調システム１０５においては、給気経路である天井裏空間５９と連通する副給気経路５３，５３を建物１５の壁部Ｗ５１，Ｗ５２内に設けているので、調和空気の吹出口を設置する位置の自由度が高い。また、吹出口５５，５６，５７，５８には開度調整機構を設けているため、季節（気温）に応じて、それぞれの開度調整機構の開度設定を変えることにより快適な冷房、暖房を行うことができる。
【００６９】
例えば、冷房時においては、一階の壁部Ｗ５１の吹出口５５及び二階の床面Ｆ２の吹出口５８を「閉」にセットするとともに、一階の天井部Ｃ１の吹出口５７及び二階の壁部Ｗ５２の吹出口５６を「開」にセットすれば、空調対象領域の上部から冷気を供給することができる。
【００７０】
一方、暖房時においては、一階の壁部Ｗ５１の吹出口５５及び二階の床面Ｆ２の吹出口５８を「開」にセットするとともに、一階の天井部Ｃ１の吹出口５７及び二階の壁部Ｗ５２の吹出口５６を「閉」にセットすれば、空調対象領域の下部から暖気を供給することができる。
【００７１】
このように、全館空調システム１０５においては、季節（気温）に応じて、吹出口５５，５６，５７，５８の開度調整機構の開度設定を変えることにより、頭寒足熱の空調環境を実現することができるので、快適性に優れている。
【００７２】
次に、図６に基づいて全館空調システム１０６について説明する。図６に示すように、全館空調システム１０６においては、一階の居室３の天井部Ｃ１と二階の居室４の床面Ｆ２との階間の天井裏空間６７を給気経路とし、給気経路である天井裏空間６７内に複数の空調機１ａ，１ｂが配置されている。
【００７３】
一階の居室３の天井部Ｃ１に複数の吹出口６５が設けられ、二階の居室４の床面Ｆ２に複数の吹出口６６が設けられている。複数の吹出口６５，６６には、それぞれ吹出口６５，６６の通気流量を増減可能な開度調整機構６５ａ，６６ａが設けられている。
【００７４】
建物１６内の空調対象領域である居室３，４の要求に応じて開度調整機構６５ａ，６６ａを作動させ、吹出口６５，６６の通気流量を増減させることにより、調和空気の風量を適切に調整（設定）することができる。また、開度調整機構６５ａ，６６ａが全閉しないように最小開度を確保すれば、必要換気量の外気を供給し続けることができる。
【００７５】
さらに、開度調整機構６５ａ，６６ａの開度を絞ることにより、通気経路である天井裏空間６７内に調和空気を充満させれば、通気経路（天井裏空間６７）に面する天井部Ｃ１や床面Ｆ２から熱放射が生じるので、空気式の放射空調が可能となる。開度調整機構６５ａ，６６ａは手動式でもよいが、コスト面で有利な赤外線通信式のリモコン６８を採用している。なお、赤外線通信式のリモコン６８に限定しないので、有線リモコンあるいはその他の操作手段を採用することもできる。
【００７６】
次に、図７に基づいて全館空調システム１０７について説明する。図７に示すように、全館空調システム１０７においては、一階の居室３の天井部Ｃ１と二階の居室４の床面Ｆ２との階間の天井裏空間７７を給気経路とし、給気経路である天井裏空間７７内に複数の空調機１ａ，１ｂが配置されている。
【００７７】
一階の居室３の天井部Ｃ１に複数の吹出口７５が設けられ、二階の居室４の床面Ｆ２に複数の吹出口７６が設けられている。複数の吹出口７５，７６には、それぞれ独立してＯＮ／ＯＦＦ並びに回転数調節可能なブースターファン７５ａ，７６ａが設けられている。また、ブースターファン７５ａ，７６ａを操作するための赤外線通信式のリモコン７８を備えている。
【００７８】
全館空調システム１０７においては、複数の吹出口７５，７６にブースターファン７５ａ，７６ａを備えているため、必要に応じて、リモコン７８を操作して、ブースターファン７５ａ，７６ａを作動させることにより、空調対象領域である居室３，４の居住者の好みに応じた風量調整を行うことが可能となる。
【００７９】
なお、図１〜図７に示す全館空調システム１０１，１０２，１０３，１０４，１０５，１０６，１０７のように、天井裏空間７，８，４７，５９，６７，７７（ダクトレス空間）を給気経路として利用する場合は、気密性・断熱性を向上させることが好適である。その一例として、発泡吹付断熱施工を天井裏空間７，８，４７，５９，６７，７７（ダクトレス空間）に行えば、比較的容易に気密断熱性能を確保することができる。
【００８０】
図１〜図７に示す全館空調システム１０１，１０２，１０３，１０４，１０５，１０６，１０７においては、建物の一階部分に換気装置２を設置し、室内空気は換気装置２の還気口から取り入れるが、実際には、建物内には、図示しない階段など、一階部分と二階部分とを連通する領域があり、そこを通じて一階部分、二階部分の両方の空気を吸い込んでいる。
【００８１】
前述したように、図１〜図７に示す全館空調システム１０１，１０２，１０３，１０４，１０５，１０６，１０７においては、建物の一階部分に換気装置２を設置しているが、これに限定するものではないので、本発明に係る空調システムにおいては、図示していないが、建物内に設けられた収納室内に前記換気装置を配置することもできる。
【００８２】
このような構成とすれば、換気装置を収納室内に隠蔽することができるので、建物内をスッキリとした美観を呈するように仕上げることができる。また、収納室内をダクトルートなどに利用することができるので、施工が容易になる。なお、還気口を収納室の正面ドア（例えば、クローゼットの開閉扉面）に設け、収納室内をダクトレス還気経路とすれば、施工の簡素化を図ることができる。
【００８３】
次に、図８に基づいて、全館空調システム１０８について説明する。図８に示すように、全館空調システム１０８は、空調機１ａ，１ｂと、換気装置２と、空調機１ａ，１ｂから供給される調和空気をダクトＤ１，Ｄ２を経由して建物１８内の空調対象領域である居室３，４内に向かって吹き出す複数の吹出口８５，８６と、を備えている。
【００８４】
空調機１ａ，１ｂはそれぞれ、建物１８内の天井裏空間７，８内に配置され、天井裏空間７，８を、居室３，４の天井部Ｃ１，ｃ２に設けられた還気用の吸込口１０ａ，１０ｂから居室３，４内の空気を吸い込んで空調機１ａ，１ｂに導く還気経路としている。なお、天井裏空間（ダクトレス空間）を還気経路として利用する場合は、給気経路として利用する場合ほどの気密性は必要ではない。ただし、気密性がそこまで必要ないのはダクトレス空間と居室内との間であって、ダクトレス空間と居室内以外の場所（壁や床など）との間は気密性が必要である。
【００８５】
全館空調システム１０８は、空調機１ａ，１ｂと換気装置２とを備えているため、空調機能と換気機能の両方を発揮することができる。また、空調機１ａ，１ｂと吸込口１０ａ，１０ｂとの間のダクト施工が不要となるので、工数が簡略化され、施工が容易であり、還気用のダクト自体を無くすことができるので、ダクトのメンテナンスも不要である。
【００８６】
全館空調システム１０８においては、換気装置２で吸い込んだ外気を、通気経路９を経由して天井裏空間７，８に流入させることにより空調機１ａ，１ｂに供給するので、必要とする換気作用を確実に得ることができ、換気効率も向上する。また、空調機１ａ，１ｂで形成された調和空気はダクトＤ１，Ｄ２を経由して居室３，４へ供給されるため、熱ロスを低減することができる。
【００８７】
なお、図１〜図８に基づいて説明した全館空調システム１０１，１０２，１０３，１０４，１０５，１０６，１０７，１０８は、本発明に係る全館空調システムを例示するものであり、本発明の全館空調システムは、前述した全館空調システム１０１，１０２，１０３，１０４，１０５，１０６，１０７，１０８に限定されない。
【産業上の利用可能性】
【００８８】
本発明は、各種建物内の空調システムとして、建設業などの分野において広く利用することができる。
【符号の説明】
【００８９】
１ａ，１ｂ，３１ａ，３１ｂ，４１ａ，４１ｂ  空調機
２，４２  換気装置
３，４  居室
５，６，５５，５６，６５，６６，７５，７６，８５，８６  吹出口
７，８，４７，５９，６７，７７  天井裏空間
９  通気経路
１０ａ，１０ｂ，３０ａ，３０ｂ，４０，４０ａ，４０ｂ，５７，５８  吸込口
１１，１２，１３，１４，１５，１６，１７，１８  建物
２０，２０ａ，２０ｂ  還気経路
２１  小屋裏空間
４３ａ  吸気口
４３ｂ  排気口
４９ａ  吸気経路
４９ｂ  排気経路
５３，５４  副給気経路
６５ａ，６６ａ  開度調整機構
６８，７８  リモコン
７５ａ，７６ａ  ブースターファン
１０１，１０２，１０３，１０４，１０５，１０６，１０７，１０８  全館空調システム
Ｃ１，Ｃ２  天井部
Ｄ１，Ｄ２  ダクト
Ｆ１，Ｆ２  床面
Ｗ１，Ｗ１ａ，Ｗ１ｂ，Ｗ２，Ｗ２ａ，Ｗ２ｂ，Ｗ３ａ，Ｗ３ｂ，Ｗ５１，Ｗ５２  壁部
【図１】
2020094724.tif 000003
【図２】
2020094724.tif 000004
【図３】
2020094724.tif 000005
【図４】
2020094724.tif 000006
【図５】
2020094724.tif 000007
【図６】
2020094724.tif 000008
【図７】
2020094724.tif 000009
【図８】
2020094724.tif 000010